(57)【要約】【課題】  火器装置の使用者が正規の使用権限を有する者と認められない場合には、使用できないようにして、子供や第三者の使用を防止できるようにした認証機能付き火器装置を提供する。【解決手段】  火器装置の使用を特定の者に限定して行えるようにした認証機能付き火器装置であって、使用者の指紋情報を読み取る指紋情報読取手段と、前記火器装置の使用を行うことを認証する者の指紋情報を予め記憶させた記憶手段と、前記火器装置の点火を可能にする点火手段と、前記点火手段の点火が行われない状態にロックするロック手段と、前記指紋情報読取手段で読み取られた指紋情報と、前記記憶手段に記憶されている指紋情報との照合を行う指紋情報照合手段と、前記指紋情報照合手段による照合が一致した場合に、前記ロック手段のロック状態を解除するロック解除手段と、を備えていることを特徴とする。【選択図】        図１
2005207607.tif 000002
【特許請求の範囲】
【請求項１】
火器装置の使用を特定の者に限定して行えるようにした認証機能付き火器装置であって、
使用者の指紋情報を読み取る指紋情報読取手段と、前記火器装置の使用を行うことを認証する者の指紋情報を予め記憶させた記憶手段と、前記火器装置の点火を可能にする点火手段と、前記点火手段の点火が行われない状態にロックするロック手段と、前記指紋情報読取手段で読み取られた指紋情報と、前記記憶手段に記憶されている指紋情報との照合を行う指紋情報照合手段と、前記指紋情報照合手段による照合が一致した場合に、前記ロック手段のロック状態を解除するロック解除手段と、を備えていることを特徴とする認証機能付き火器装置。
【請求項２】
前記記憶媒体がＩＣカードであり、前記記憶手段と前記指紋情報照合手段とが前記ＩＣカードに設けられ、前記ＩＣカードが前記火器装置に着脱自在に備えられていることを特徴とする請求項１記載の認証機能付き火器装置。
【発明の詳細な説明】
【技術分野】
【０００１】
本発明は、例えば、ライター、ガスコンロ、などの火器装置が、子供や第三者によって勝手に使用されないように防止策を施した認証機能付き火器装置に関する。
【背景技術】
【０００２】
従来、ライター、ガスコンロ、などの火器装置は種々あるが、これらの装置を子供が勝手に使用した場合には、火傷を負ったり、火事になったりする危険性がある。
これらの火器装置の中には、子供などが容易に点火できないようにするために点火をロック状態とするロック手段を備えている装置もある。（例えば、特許文献１及び２、参照）
【特許文献１】特表２００２−５２７７０９
【特許文献２】特開２０００−３４６３７６
【０００３】
しかしながら、これらのロック手段では、ロック解除の方法さえわかれば、誰で使用することができるのが現状であり、子供や第三者による使用を完全に防止することができないという問題がある。
また、火器装置毎に使用権限を有する正規の使用者を予め特定して、正規の使用者以外の第三者や子供などが勝手に使用できないようにしたくても、使用者毎に使用認証の確認処理を行う仕組みを備えていないので、火器装置の安全な取り扱いができないという問題がある。
【発明の開示】
【発明が解決しようとする課題】
【０００４】
本発明は、火器装置が使用される場合に、予め記憶手段に登録された認証用の指紋情報に基づく照合処理を受け、その使用者が正規の使用権限を有する者と認められない場合には、使用できないようにして、子供や第三者の使用を防止できるようにした認証機能付き火器装置を提供する。
【課題を解決するための手段】
【０００５】
本発明の認証機能付き火器装置は、火器装置の使用を特定の者に限定して行えるようにした認証機能付き火器装置であって、使用者の指紋情報を読み取る指紋情報読取手段と、前記火器装置の使用を行うことを認証する者の指紋情報を予め記憶させた記憶手段と、前記火器装置の点火を可能にする点火手段と、前記点火手段の点火が行われない状態にロックするロック手段と、前記指紋情報読取手段で読み取られた指紋情報と、前記記憶手段に記憶されている指紋情報との照合を行う指紋情報照合手段と、前記指紋情報照合手段による照合が一致した場合に、前記ロック手段のロック状態を解除するロック解除手段と、を備えていることを特徴とする。
【０００６】
また、本発明の認証機能付き火器装置は、前記記憶媒体がＩＣカードであり、前記記憶手段と前記指紋情報照合手段とが前記ＩＣカードに設けられ、前記ＩＣカードが前記火器装置に着脱自在に備えられていることを特徴とする。
【発明の効果】
【０００７】
本発明の認証機能付き火器装置は、予め記憶手段に登録された認証用の指紋情報との照合処理で一致しない場合には、火器装置のロック状態を解除することができないので、正規に使用権限を有する者以外の者は、使用することができず、子供や第三者の不正な使用を防止することができるという効果がある。
【０００８】
また、本発明の認証機能付き火器装置は、火器装置に着脱自在に備えられたＩＣカードに認証用の指紋情報が記憶され、認証処理を行うので、火器装置自体を共通で使用ＩＣカードを代えることで、必要に応じて使用権限を有する者を代えて火器装置を複数の使用者で共通して使用することができるという効果がある。
【発明を実施するための最良の形態】
【０００９】
以下、図面を参照しながら本発明の実施形態を詳述する。
図１は、本発明の第１実施形態に係る認証機能付き火器装置であるライターの斜視図、図２は、本発明の第１実施形態に係る認証機能付き火器装置であるライターのシステムブロック図、図３は、本発明の第２実施形態に係る認証機能付き火器装置であるライターと、ＩＣカードの斜視図、図４は、本発明の第２実施形態に係る認証機能付き火器装置であるライターと、ＩＣカードのシステムブロック図、図５は、本発明の第３実施形態に係る認証機能付き火器装置であるガスコンロの斜視図、図６は、本発明の第１実施形態に係る認証機能付き火器装置であるライターの使用時の処理手順を示すフローチャートである。
【００１０】
本発明の第１実施形態に係る認証機能付き火器装置であるライター１は、外面の所定部分に親指２などの指紋を押し当て、ライター１を使用する者の指紋情報を読み取る機能を有する指紋読取手段３を有している。
更に、ライター１には、ライターの点火を可能にする点火手段４と、この点火手段４による点火を行えない状態にロックするロック手段５と、ロック手段５によるロックを解除して、点火を行える状態とするロック解除手段６と、このライターの使用を行うことを認証する者の指紋情報を予め記憶させた記憶手段７と、指紋情報読取手段３で読み取られた指紋情報と、記憶手段７に記憶されている指紋情報との照合を行う指紋情報照合手段８と、制御手段９となどを有している。
【００１１】
尚、指紋読取手段３は、図示にようにライターの一番広い平面部に指紋読取用のセンサーを設けることで、使用者の指紋の読み取りを可能とするが、特にこれに限定されるものではなくどの部分に設けても良い。
また、ライター１には、ＩＣが内臓され、記憶手段７と指紋情報照合手段８とは、このＩＣのメモリとＣＰＵとにより記憶され、処理が行われる。
【００１２】
記憶手段７には、他に制御用プログラムが搭載されている。
ロック手段５及びロック解除手段６は、点火が行えない状態から点火が可能な状態にする機能を有し、これらは機構上または電気的な制御などの方法により達成され、任意に選択して構成される。
【００１３】
ロック解除手段６は、指紋情報照合手段３による指紋情報との照合処理の結果において、照合一致した場合にロック手段５によるロック状態を解除させて、点火手段４による点火が行える状態にする機能を有している。
つまり、ライターの利用者は、自らの指紋を読み取らせて、予め記憶されている照合用の指紋情報との照合処理で一致したことを条件に、ライターに火をつけることができるようにしてあり、予め記憶手段に登録された指紋情報を一致する指紋を有する人以外は使用することができないようにしてある。
【００１４】
次に、本発明の第２実施形態に係る認証機能付き火器装置であるライター１０を図３及び図４に基づいて説明する。
第２実施形態に係る認証機能付き火器装置であるライター１０は、記憶媒体としてＩＣカードを用いて、このＩＣカード内に記憶手段と指紋情報照合手段とを設け、ＩＣカードを火器装置に着脱自在に備えた構成を有している。
【００１５】
図３に示すように、ライター１０には、記憶媒体がＩＣカード１１を挿入して着脱自在に装着するためのＩＣカード挿入部１２が設けられている。
ライター１０には、更に、指紋読取手段１３、点火手段１４、この点火手段４による点火を行えない状態にロックするロック手段１５、ロック解除手段１６、ＩＣカード１１とのＩ/Ｆ（インターフェース）１７、制御手段１８、などを有している。
【００１６】
また、ＩＣカード１１は、このライター１０の使用を行うことを認証する者の指紋情報を予め記憶させた記憶手段１９と、指紋情報照合手段２０と、制御手段２１と、Ｉ/Ｆ（インターフェース）２２となどを有している。
記憶手段１９には、他に制御用プログラムが搭載されている。
指紋情報照合手段２０は、Ｉ/Ｆ２２を介してライター１０からＩＣカード１１に送られた指紋情報と、ＩＣカード１１の記憶手段１９に記憶されている指紋情報との照合を行う機能を有している。
ＩＣカード１１は、ライター１０に対して着脱自在に装着されているので、ＩＣカード１１を入れ替えることで１つのライターを複数の人が共通して使用することができる。
【００１７】
ロック解除手段１６は、指紋情報照合手段２０による指紋情報との照合処理の結果において、一致した場合にロック手段１５のロック状態を解除させて、点火手段４による点火が行える状態にする機能を有している。
【００１８】
次に、本発明の第３実施形態に係る認証機能付き火器装置であるガスコンロ３０を図５に基づいて説明する。
本発明の認証機能付き火器装置は、上記したライターに限らず、ガスコンロなどの火を利用する種々の装置に広く用いることができる。
本発明の第３実施形態では、ガスコンロ３０に指紋読取センサーなどからなる指紋読取手段３１と、ガスコンロ３０の点火を可能にする点火手段３２と、更に図示しないが、この点火手段３２による点火を行えない状態にロックするロック手段と、ロック手段によるロックを解除して、点火を行える状態とするロック解除手段と、このガスコンロ３０の使用を行うことを認証する者の指紋情報を予め記憶させた記憶手段と、指紋情報読取手段で読み取られた指紋情報と、記憶手段に記憶されている指紋情報との照合を行う指紋情報照合手段と、制御手段となどが設けられている。
【００１９】
このガスコンロ３０においても、上記したライター１と同様に、使用者は、自らの指紋を指紋読取手段３１で読み取らせて、予め記憶手段に記憶されている照合用の指紋情報との照合処理で一致したことを条件に、ガスコンロ３０に火をつけることができるようにしてあり、予め記憶手段に登録された指紋情報を一致する指紋を有する人以外はガスコンロ３０を使用することができないようにしてある。
【００２０】
次に、本発明の第１実施形態に係る認証機能付き火器装置であるライターの処理手順を図６のフローチャートに基づいて説明する。
まず、ライター１の記憶手段７には、そのライター１を使用することができる正規の使用者の指紋情報を記憶させて登録しておく。
また、ライター１は、ロック手段５により点火できない状態にロックされている。
【００２１】
ライター１の使用者は、親指２などの定められた指を指紋センサーなどの指紋読取手段３に押し当てて、指紋情報を読み取らせる。（ステップＳ１）
指紋読取手段３で読み取られた指紋情報は、指紋情報照合手段８により、記憶手段７に予め記憶されている照合用の指紋情報と照合処理される。（ステップＳ２）
この照合処理の結果、照合一致した場合には、ロック解除手段６によりロック手段５のロックが解除される。（ステップＳ３）
これにより、使用者はライター１を点火できる状態となり、点火手段４により点火して使用する。（ステップＳ４）
【００２２】
また、照合処理の結果、照合不一致となった場合には、ロック解除手段６によりロック手段５のロックが解除されないままの状態で、使用者はライター１を点火することができない。
以上のように、本発明の認証機能付き火器装置は、火器装置を点火することができる使用者が、指紋照合処理により照合一致する者に制限できるので、特定の使用者以外の者が使用したとしても点火できないようにしてある。
【図面の簡単な説明】
【００２３】
【図１】本発明の第１実施形態に係る認証機能付き火器装置であるライターの斜視図である。
【図２】本発明の第１実施形態に係る認証機能付き火器装置であるライターのシステムブロック図である。
【図３】本発明の第２実施形態に係る認証機能付き火器装置であるライターと、ＩＣカードの斜視図である。
【図４】本発明の第２実施形態に係る認証機能付き火器装置であるライターと、ＩＣカードのシステムブロック図である。
【図５】本発明の第３実施形態に係る認証機能付き火器装置であるガスコンロの斜視図である。
【図６】本発明の第１実施形態に係る認証機能付き火器装置であるライターの使用時の処理手順を示すフローチャートである。
【符号の説明】
【００２４】
１  ライター
２  親指
３，１３，３１  指紋読取手段
４，１４，３２  点火手段
５，１５  ロック手段
６，１６  ロック解除手段
７，１９  記憶手段
８，２０  指紋情報照合手段
９，２１  制御手段
１１  ＩＣカード
１２  ＩＣカード挿入部
１７  Ｉ/Ｆ（インターフェース）
【図１】
2005207607.tif 000003
【図２】
2005207607.tif 000004
【図３】
2005207607.tif 000005
【図４】
2005207607.tif 000006
【図５】
2005207607.tif 000007
【図６】
2005207607.tif 000008